(57)【特許請求の範囲】
【請求項１】
並列に配置された複数個の容器群の上面を覆う上面板と、
この上面板の両側部に連接され並列された各容器の側面を覆うように配置された対向する側面板と、
これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されるマルチパック用包装箱において、
前記側面板の両端部の上面板側には、内側に折り込まれて容器を保持する機能を有する押込フラップ片と抜き止め帯片を有する保持フラップ機構部が形成されており、
前記保持フラップ機構部は、山折り線を介して包装箱の内部に折り込まれる前記押込フラップ片と、当該押込フラップ片に谷折り線を介して連結され、容器を係止する前記抜き止め帯片を有して構成されており、前記抜き止め帯片の一部が前記上部開口穴の開口によって形作られており、 
前記上面板と前記側面板との折り線箇所に、少なくとも開口部に近い箇所に位置する両端部の容器に対応して設けられた上部開口穴であって、収納される容器の上面の外方を係止するための上部開口穴が形成されており、
前記上部開口穴と前記保持フラップ機構部によって、前記容器の上面の外方が係止されることを特徴とするマルチパック用包装箱。
【請求項２】
前記両端部の容器に対応して設けられた上部開口穴の中心線は、前記側面板の端に位置して収納されている対応する容器の中心線より、外方にずれて形成されている請求項１に記載のマルチパック用包装箱。
【請求項３】
前記山折り線の片端および前記谷折り線の片端は、それぞれ、前記上部開口穴に至るまで延設されている請求項１または２に記載のマルチパック用包装箱。
【請求項４】
前記山折り線は、前記上面板に向かうにつれて開口部である外側方向側に傾斜したラインとして構成される請求項３に記載のマルチパック用包装箱。
【請求項５】
前記上面板と前記側面板との折り線箇所に、各容器に対応して収納される容器の上面の外方を係止するための上部開口穴が形成されている請求項１ないし請求項４のいずれかに記載のマルチパック用包装箱。
【請求項６】
前記上部開口穴を、前記側面板の開口部側の両端にそれぞれ形成される端部開口穴と、端部開口穴よりも内側に形成されている中部開口穴とに分けた場合において、前記中部開口穴の幅Ｐ２２の方が端部開口穴の幅Ｐ１１よりも大きくなるように形成される請求項５に記載のマルチパック用包装箱。
【請求項７】
前記上部開口穴を、前記側面板の開口部側の両端にそれぞれ形成される端部開口穴と、端部開口穴よりも内側に形成されている中部開口穴とに分けた場合において、前記中部開口穴の開口面積Ｓ２の方が端部開口穴の開口面積Ｓ１よりも大きくなるように形成される請求項５または請求項６に記載のマルチパック用包装箱。
【請求項８】
前記底面板と前記側面板との折り線を跨ぐように容器底固定片が形成される請求項１ないし請求項７のいずれかに記載のマルチパック用包装箱。
【請求項９】
請求項１〜８のいずれかに記載のマルチパック用包装箱に容器を収納してなるマルチパック包装製品。
【発明の詳細な説明】
【技術分野】
【０００１】
本発明は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を並列した状態のまま包装するマルチパック用包装箱に関する。なお、本発明でいう「容器」とは、内容物が充填されている製品の形態のものをいう。
【背景技術】
【０００２】
従来から、缶ビールや缶ジュース等の複数個の容器を複数個一列あるいは複数列で起立させた状態のまま整列させて置き、つぎに容器の上部、側部および下部を包み込むようにして包装し、側面板が存在しない両端部において容器群の一部の側面が覗く開口部が形成された紙製のマルチパック用包装箱が使用されている。
【０００３】
このようなマルチパック用包装箱の使用により、複数個の缶ビールや缶ジュース等を１個の包装体にまとめて一度にかつ簡易に持ち運ぶことができるようになり、さらに、纏め売りの効果も相俟って当該マルチパック用包装箱の使用が近年急速に拡大しつつある。
【０００４】
このようなマルチパック用包装箱においては、容器群の一部の側面が覗く開口部に、内容物の飛び出しや脱落を防止するために、内側に折り込まれて容器を保持する機能を有する押込フラップ片と、この当該押込フラップ片の上下にそれぞれ連接されて上面板の隅部および底面板の隅部にまで至る上部抜き止め片（上部ガゼット）および下部抜き止め片（下部ガゼット）が、それぞれ、連接されて構成されているものが存在する。
【先行技術文献】
【特許文献】
【０００５】
【特許文献１】特開２００４−１６１３３７号公報
【特許文献２】ＵＳＰ  ６９８８６１７  Ｂ２
【０００６】
このようなマルチパック用包装箱は、上述のごとく容器を纏め、一度にかつ簡易に持ち運ぶことができることが基本であるので、安全面を考慮すれば、押込フラップ片等による容器の保持力はできるだけ高いことが要望されている。また、紙原料の使用量の削減（板紙幅、長さを縮小させて使用面積を小さくする）も含めて製造コストの低減に寄与できる包装箱仕様であることも望まれる。
【発明の概要】
【発明が解決しようとする課題】
【０００７】
このような実状のもとに、本発明は創案されたものであって、その目的は、箱強度や保持力等の必要な機能を維持させるとともに、紙原料の使用量の削減を図り製造コストの低減に寄与できる新規なマルチパック用包装箱を提供することにある。
【課題を解決するための手段】
【０００８】
本出願に係る発明者が、包装箱の開口部に近い箇所に位置する両端部の容器に対応して形成される上部開口穴と、側面板の両端部の上面板側に形成されて容器を保持する機能を有する保持フラップ機構部と、の双方での協働作用によって、容器を保持させるような仕様変更を試みたところ、箱内に収納されて保持される容器の保持力が格段と向上し、なおかつ、マルチパック包装箱の展開図の幅方向および長さ方向の長さを短縮させることができ、原紙使用効率を向上させることができるということを見出し、本願発明に想到したものである。
【０００９】
すなわち、本発明は、並列に配置された複数個の容器群の上面を覆う上面板と、この上面板の両側部に連接され並列された各容器の側面を覆うように配置された対向する側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く開口部が形成されるマルチパック用包装箱において、前記側面板の両端部の上面板側には、内側に折り込まれて容器を保持する機能を有する押込フラップ片と抜き止め帯片を有する保持フラップ機構部が形成されており、前記保持フラップ機構部は、山折り線を介して包装箱の内部に折り込まれる前記押込フラップ片と、当該押込フラップ片に谷折り線を介して連結され、容器を係止する前記抜き止め帯片を有して構成されており、前記抜き止め帯片の一部が前記上部開口穴の開口によって形作られており、前記上面板と前記側面板との折り線箇所に、少なくとも開口部に近い箇所に位置する両端部の容器に対応して設けられた上部開口穴であって、収納される容器の上面の外方を係止するための上部開口穴が形成されており、前記上部開口穴と前記保持フラップ機構部によって、前記容器の上面の外方が係止されるように構成される。
【００１０】
本発明のマルチパック用包装箱の好ましい態様として、前記両端部の容器に対応して設けられた上部開口穴の中心線は、前記側面板の端に位置して収納されている対応する容器の中心線より、外方にずれて形成されるように構成される。
【００１２】
本発明のマルチパック用包装箱の好ましい態様として、前記山折り線の片端および前記谷折り線の片端は、それぞれ、前記上部開口穴に至るまで延設されているように構成される。
【００１３】
本発明のマルチパック用包装箱の好ましい態様として、前記山折り線は、前記上面板に向かうにつれて開口部である外側方向側に傾斜したラインとして構成される。
【００１４】
本発明のマルチパック用包装箱の好ましい態様として、前記上面板と前記側面板との折り線箇所に、各容器に対応して収納される容器の上面の外方を係止するための上部開口穴が形成されるように構成される。
【００１５】
本発明のマルチパック用包装箱の好ましい態様として、前記上部開口穴を、前記側面板の開口部側の両端にそれぞれ形成される端部開口穴と、端部開口穴よりも内側に形成されている中部開口穴とに分けた場合において、前記中部開口穴の幅Ｐ２２の方が端部開口穴の幅Ｐ１１よりも大きくなるように構成される。
【００１６】
本発明のマルチパック用包装箱の好ましい態様として、前記上部開口穴を、前記側面板の開口部側の両端にそれぞれ形成される端部開口穴と、端部開口穴よりも内側に形成されている中部開口穴とに分けた場合において、前記中部開口穴の開口面積Ｓ２の方が端部開口穴の開口面積Ｓ１よりも大きくなるように構成される。
【００１７】
本発明のマルチパック用包装箱の好ましい態様として、前記底面板と前記側面板との折り線を跨ぐように容器底固定片が形成されるように構成される。
【００１８】
本発明のマルチパック包装製品は、上記記載のマルチパック用包装箱に容器を収納することによって構成される。
【発明の効果】
【００１９】
本発明のマルチパック用包装箱は、包装箱の開口部に近い箇所に位置する両端部の容器に対応して形成される容器の上面の外方を係止するための上部開口穴と、側面板の両端部の上面板側に形成されて容器を保持する機能を有する保持フラップ機構部と、の双方での協働作用によって容器を保持させるように構成しているために、箱内に収納される容器の保持力が格段と向上するという効果が発現する。しかも、マルチパック包装箱の展開図の幅方向および長さ方向の長さを短縮させることができ、原紙使用効率を向上させることが可能となる。
【図面の簡単な説明】
【００２０】
【図１】図１は、本発明のマルチパック用包装箱の展開図の一例を示したものである。
【図２】図２は、図１に示される展開された箱オリジナル紙を組み立てたマルチパック用包装箱の斜視図である。
【図３】図３は、図１に示される展開された箱オリジナル紙に缶製品を収納した状態で組み立てた斜視図である。
【図４】図４は、図１に示されるＡ部の拡大図であり、保持フラップ機構部とこれに隣接する上部開口穴（端部開口穴）を主として示した部分拡大図である。
【図５】図５は、上面板とこの上面板の両端に連接する側面板の接合部近傍を示した部分拡大平面図である。当該図面においては、容器として缶容器の図面を追加記載しており、包装仕様と容器との関係をも示している。
【図６】図６は、容器底固定片を２段に折り曲げて容器底ドーム空間内（凹部）に挿着するとともに容器が動かないように固定した状態を模式的に示す部分拡大断面図である。
【図７】図７は、図１に示されるＢ部の拡大図であり、容器底固定片の近傍を主として示す部分拡大平面図である。
【図８】図８は、図７に相当する図面であって、容器底固定片の他の実施形態を示す平面図である。
【図９】図９は、容器保持力のテストを説明するための模式的平面図である。
【発明を実施するための形態】
【００２１】
以下、本発明のマルチパック用包装箱１の好適な形態の一例について、図面を参照しつつ説明する。
【００２２】
図１は、本発明のマルチパック用包装箱１の展開図の一例を示したものであり、図２は、図１に示される展開された箱オリジナル紙を組み立てた斜視図であり、図３は、図１に示される展開された箱オリジナル紙を組み立てた斜視図であり、包装箱の中に缶ビールで代表される缶容器が収納されている状態を示す斜視図である。
【００２３】
図４は、図１に示されるＡ部の拡大図であり、本発明の要部である保持フラップ機構部とこれに隣接する上部開口穴（端部開口穴）を主として示した部分拡大図である。
【００２４】
本発明における好適な実施の形態として、缶ビールを６個収納（直列した３缶を２列に並列させて収納）することができる一般的なマルチパック用包装箱１を一例にとって説明する。
【００２５】
本発明のマルチパック用包装箱１は、図１に示される展開シート（パック用シート）を組み立てることによって形成することができ、展開シートは、図１に示されるごとく横長の略矩形形状をなしている。
【００２６】
本発明では、図１における縦辺１ａ方向を便宜上、『幅方向（図１の矢印で幅方向と示された箇所を参照）』と呼ぶ。横辺１ｂ方向を『長さ方向』と呼ぶ。
【００２７】
図１に示される展開シートにおいて、その中央部は上面板２を構成し、その両端にそれぞれ、側面板３、４が連接されている。そして、側面板３の先端側となる図面の左側部分には底面板５が形成され、側面板４の先端側となる図面の右側部分には底面板６がそれぞれ形成されている。
【００２８】
上面板２は、本実施形態においては、直列３個を並列２列に起立状態に整列させた缶ビール６個の上面を覆うように、図面の縦辺１ａ方向には略ビール缶３缶分、横辺１ｂ方向には略ビール缶２缶分の長さからなる面積を備えている。上面板２の両側には缶ビールの側部を覆うようにその高さに相当する側面板３、４がそれぞれ境界線をなす折り線２ａを介して連接されている。
【００２９】
底面板５，６には互いに係着し得る係止部７（底面板５側）および係止部８（底面板６側）が、それぞれ形成されている。係止部７の係止孔７ａと係止部８の切り込み部分８ａとが対になり、また、係止部７の切り込み孔７ｂと係止部８の係止片部分８ｂとが対となり双方の底面板５，６が係止される。
【００３０】
そして、これらの底面板５、６を係着することにより、缶ビール等の容器群を包むように収納できるマルチパック用包装箱１が組立てられる。その結果、側面板３、４が存在しない両端部において容器群の一部の側面が覗く開口部Ｐが、それぞれ形成されることになる。
【００３１】
図１に示されるように、側面板３，４の両端部（開口部Ｐ側）の上面板２側には、内部に収納される容器が包装箱の開口部Ｐから、飛び出したり脱落しないように容器の上部を保持するための保持フラップ機構部９０が形成されている。
【００３２】
保持フラップ機構部９０は、開口部Ｐの内側に折り込まれて容器を保持する機能を有する押込フラップ片９２と、容器の上部を係止して抜き止め作用をする抜き止め帯片９１を有して構成される。
【００３３】
さらに、上面板２と側面板３，４との折り線２ａの箇所には、少なくとも開口部Ｐに近い箇所に位置する両端部の容器に対応して設けられた上部開口穴２１が形成されている。、この両端部の容器に対応して設けられた上部開口穴２１によって、収納される容器の上部が係止される。ここに言う、折り線２ａの箇所とは、厳密には、側面板３，４の箇所が主体となっていることを意味し、大部分の上部開口穴２１は、側面板３，４側に形成されている。本発明においては、上記の上部開口穴２１と前記保持フラップ機構部９０の双方の係止の効果によって、これらと係合される容器の保持力が格段と向上する。さらには、このような仕様により包装箱寸法の幅方向および長さ方向の短縮化が図られ、紙原料の使用量の削減を図ることができる。なお、本発明でいう、『容器の保持力が向上されている』とは、特開２００４−１６１３３７号公報に開示されている仕様と極めて類似する現行仕様のマルチパック用包装箱を基準仕様として、この基準仕様と比較して保持力の向上が確認できる包装箱をいう。
【００３４】
本発明の要部を構成する保持フラップ機構部９０について図１および図４を参照しつつさらに詳細に説明する。保持フラップ機構部９０の一部を構成する押込フラップ片９２は、山折り線９２ａを介して包装箱の内部に折り込まれる。そのため、山折り線９２ａの箇所は、包装箱として形成された場合、側面板３，４の開口部Ｐ側の端部を構成することになる。容器を係止する抜き止め帯片９１は、押込フラップ片９２に谷折り線９１ａを介して連結されており、抜き止め帯片９１と押込フラップ片９２との境の一部はカット線９１ｂによって、幅方向に切断されている。このカット線９１ｂの存在によって、押込フラップ片９２の包装箱の内部への折り込み、および抜き止め帯片９１の谷折りの操作が可能となる。
【００３５】
また、本発明における抜き止め帯片９１の帯状形態の片端部９１´は、前記端部に位置する上部開口穴２１の開口形態によって形作られている。そして、前記山折り線９２ａの片端および前記谷折り線９１ａの片端は、それぞれ、上部開口穴２１に至るまで延設されている。
【００３６】
図４に示されるように山折り線９２ａは本実施形態の場合、上面板２に向かうにつれて開口部Ｐである外側方向側に傾斜したライン（縦辺１ａ方向に対して傾斜角度θ＝１〜５°、好ましくは２〜４°）として構成されている。この傾斜したラインは、収納される缶製品の胴径等に応じて、保持力を最適化できるように適宜設定するようにすれば良い。なお、上面板２との境に位置する抜き止め帯片９１の端部における符号９１ｃは、山折り線９１ｃであり、この部分は、容器の上部と係合している。
【００３７】
また、本発明において、両端部の容器に対応して設けられた上部開口穴２１の開口形態は、図４に示されるように、略逆三角形形状であって、最下点が側面板３，４の開口部Ｐ側にシフトしたような形態（略逆直角三角形形状）とすることが望ましい。
【００３８】
また、図５に示されるように、両端部の容器に対応して設けられた上部開口穴２１の中心線Ｇ１は、両端部に位置して収納されている容器の中心線Ｂ１より、外方（開口部側）にずれるようにすることが望ましい。端部に位置する上部開口穴２１の中心線Ｇ１は、端部基準線Ｌ１に平行となるように引かれた線である。容器の中心線Ｂ１も、端部基準線Ｌ１に平行となるように引かれた線である。ずれ距離Ｋ１（単位：ｍｍ）は、０．５〜３．０ｍｍ程度に設定すればよい。このようにして両端部に位置する上部開口穴２１の中心位置を、缶容器の中心位置に対して、紙幅方向の外側に向けて所望の距離Ｋ１のずれを生じさせることによって、缶の保持力が向上する傾向が生じる。なお、図５において、符号Ｄは、容器胴部の直径であり、符号Ｄｏは、容器上蓋口部の直径である。
【００３９】
本発明マルチパック用包装箱においては、上述のごとく容器の保持力を向上させるために、開口部Ｐに近い箇所に位置する両端部の容器に対応して、保持フラップ機構部９０と、上部開口穴２１とを設けることが必須の要件となる。さらに好ましい態様としては、図１に示されるように上面板２と側面板３，４との折り線２ａの箇所に、各容器に対応して収納される容器の上面の外方を係止するための上部開口穴２２を設けることが望ましい。これによって、さらに容器の保持力が向上するとともに、縦辺１ａ方向の長さの必要量を低減させることができ、原紙使用効率を向上させることが可能となる。ここに言う、折り線２ａの箇所とは、前記同様に側面板３，４の箇所が主体となっていることを意味し、実質的な大部分の上部開口穴２２は、側面板３，４に形成されていることを意味している。
【００４０】
前述した上部開口穴という文言を、前記側面板３，４の開口部Ｐ側の両端にそれぞれ形成される端部開口穴２１と、この端部開口穴２１よりも内側に形成されている中部開口穴２２とに分けた場合、図５に示される中部開口穴の幅Ｐ２２は、端部開口穴の幅Ｐ１１よりも大きくなるように形成されることが望ましい。これらの幅の比である（Ｐ２２／Ｐ１１）は、１．１〜１．５の範囲、より好ましくは、１．２〜１．４の範囲とされる。さらに、中部開口穴２２の開口面積Ｓ２の方が端部開口穴２１の開口面積Ｓ１よりも大きくなるように形成されることが好ましい。これらの開口面積比（Ｓ２／Ｓ１）は、１．１〜３．１の範囲とされることが望ましい。
【００４１】
図１に示される展開図において、符号１６は指を挿入して持ち上げるためのフィンガーホール（２箇所）、符号１７は切り取り線をそれぞれ表している。上面板２に符号１７で示されている切り取り線は、上面引裂き開口片を形成している。図１の符号１７ａ側から上面引裂き開口片の引き剥がし操作が開始できるようになっている。符合３０は、容器底固定片であり、底面板と側面板との折り線３ａ，５ａを跨ぐように形成されている。容器底固定片３０は、図１や図２に示されるように、その一辺が基部３３として底面板３，５に固着されているとともに、容器底固定片３０の形態に沿って底面板３，５から切り取られた後、基部３３を基線として可動状態にある可動片として構成される。
【００４２】
容器底固定片３０は、図６に示されるように缶容器１００の容器底ドーム空間１１５内に潜り込ませて、可動片の先端３５がリング状の凸状リム部１１１の内側湾曲部に当接されるように構成される。これによって、容器の固定がアシストされる。
【００４３】
好適な容器底固定片３０の形態について、以下説明しておく。
【００４４】
（１）図７に示される容器底固定片３０の形態 
基部に近い両側部の幅で規定される基準幅をＷ０（この部分を『基部端部』と称す）とした場合、前記基準幅Ｗ０の基部近傍から、先端部の容器底の固定に必要な設置幅Ｗ１に至るまでに、基準幅Ｗ０よりも広幅の２つの拡張部３８、３６が形成されている。鏡像関係にある一対の拡張部３８，３８又は３６，３６を纏めて１つの拡張部としてカウントする。片の先端３５形状は、図６に示されるように、容器１００の容器底１１０の周縁に形成されたリング状の凸状リム部１１１の内側湾曲形状に沿った形状とされる。リング状の凸状リム部１１１の内側に当接させ、保持力を向上させるためである。
【００４５】
図７に示される実施形態の容器底固定片３０は、基部３３から片の先端に向かっていく途中に、外方に脹らむ第１の拡張部３８（幅Ｗ４）が形成され、さらに先端側に、第２の拡張部３６（幅Ｗ５）が形成されている。つまり、２つの広幅の拡張部のうち、第２の拡張部３６が、容器底の固定に必要な設置幅Ｗ１に至る直前に形成されており、第１の拡張部３８が第２の拡張部３６よりも基部３３側に形成されている。第２の拡張部３６を形成することにより、容器底固定片の先端における容器底の固定に必要な設置幅Ｗ１を増大させることができるとともに、極端な凹凸のない簡易な容器底固定片３０の形態が実現でき、高速自動ケーサーによるパッケージングをより確実に行なうことができる。
【００４６】
（２）図８に示される容器底固定片３０の形態 
図８に示されるように基部に近い両側部の幅で規定される基準幅Ｗ０よりも広幅Ｗ４の拡張部３８，３８が可動片の先端に向かって両側部に形成されている。なお、鏡像関係にある拡張部３８，３８を纏めて１つの拡張部としてカウントする。
【００４７】
図８の形態においては、基準幅Ｗ０の基部近傍から広幅の拡張部３８，３８に至るまでに、可動片の両側部にそれぞれ括れ部３９，３９（幅Ｗ２）が形成されている。すなわち、容器底固定片３０は、基部３３から片の先端に向かっていく途中に括れ部３９が形成され、当該括れ部３９からさらに片の先端に向かう両側部に、それぞれ、外方に脹らむ拡張部３８が形成されている。
【００４８】
なお、上述してきた容器底固定片３０は容器の保持力をアシストするものであり、存在させることが好ましいが、存在させない仕様とすることもできる。
【００４９】
上述してきた要部構成を備える本発明のマルチパック用包装箱の中に容器を収納することにより、マルチパック包装製品が完成する。
【００５０】
なお、本発明における実施形態では缶ビールの包装を例にとって説明したが、このものに限定されるものではない。例えば、発泡酒缶、チューハイ缶等のアルコール飲料缶や、缶ジュース、缶コーヒー、缶紅茶、缶入り茶等のノンアルコール飲料缶などその他の各種缶製品にも適用できることは勿論のことである。
【００５１】
以下、具体的実験例を示し、本発明をさらに詳細に説明する。
【実施例】
【００５２】
〔実験例〕
（比較例１のマルチパック用包装箱）
上記の特許文献１（特開２００４−１６１３３７号公報）に記載された形態と略同等である現行品を比較例１のマルチパック用包装箱とした。すなわち、上部開口穴（端部開口穴２１）が全く形成されていない仕様であって、かつ、押込フラップ片の上下にそれぞれ連接されて上面板の隅部および底面板の隅部にまで至る上部抜き止め片（上部ガゼット）および下部抜き止め片（下部ガゼット）が、それぞれ、連接されて構成されている仕様とした。
【００５３】
被包装物として用いた缶容器は、容器胴の直径Ｄ＝６６ｍｍ、上蓋口部の直径Ｄｏ＝５６．４ｍｍの３５０ｍｌの缶ビール容器とした。
【００５４】
（実施例１のマルチパック用包装箱）
図１に示されるような６缶入りのマルチパック用包装箱を用いて、中部開口穴２２を端部開口穴２１，２１よりも大きくする仕様、すなわち、開口面積比（Ｓ２／Ｓ１）＝１．３９とした。また、所望のずれ量である偏芯量の距離Ｋ１＝０（偏芯量ゼロ）とした。容器底固定片３０は比較例１との比較の公正を期すために使用しなかった。用いた缶容器は、上記と同様の３５０ｍｌの缶ビール容器とした。
【００５５】
図１に示される展開図において、縦辺１ａ方向（幅方向）の最大長さは、上記比較例１の現行マルチパック用包装箱のそれと比較して９２．５％の長さであり、横辺１ｂ方向の最大長さは、上記比較例１の現行マルチパック用包装箱のそれと比較して９６．３％の長さであった。
【００５６】
（実施例２のマルチパック用包装箱）
上記実施例１のマルチパック用包装箱のサンプルにおいて、所望のずれ量である偏芯量の距離Ｋ１＝２．０とした。それ以外は、上記実施例１のマルチパック用包装箱と同様にして、実施例２のマルチパック用包装箱を作製した。
【００５７】
図１に示される展開図において、縦辺１ａ方向（幅方向）の最大長さは、上記比較例１の現行マルチパック用包装箱のそれと比較して９２．５％の長さであり、横辺１ｂ方向の最大長さは、上記比較例１の現行マルチパック用包装箱のそれと比較して９６．３％の長さであった。
【００５８】
（実施例３のマルチパック用包装箱）
上記実施例１のマルチパック用包装箱のサンプルにおいて、所望のずれ量である偏芯量の距離Ｋ１＝３．０とした。それ以外は、上記実施例１のマルチパック用包装箱と同様にして、実施例３のマルチパック用包装箱を作製した。
【００５９】
図１に示される展開図において、縦辺１ａ方向（幅方向）の最大長さは、上記比較例１の現行マルチパック用包装箱のそれと比較して９２．５％の長さであり、横辺１ｂ方向の最大長さは、上記比較例１の現行マルチパック用包装箱のそれと比較して９６．３％の長さであった。
【００６０】
（実施例４のマルチパック用包装箱）
上記実施例１のマルチパック用包装箱において、中部開口穴２２を設けなかった。それ以外の仕様は上記実施例１のマルチパック用包装箱と同様にして、実施例４のマルチパック用包装箱を作製した。用いた缶容器は、上記と同様の３５０ｍｌの缶ビール容器とした。
図１に示される展開図において、縦辺１ａ方向（幅方向）の最大長さは、上記比較例１の現行マルチパック用包装箱のそれと比較して９２．５％の長さであり、横辺１ｂ方向の最大長さは、上記比較例１の現行マルチパック用包装箱のそれと比較して９６．７％の長さであった。
【００６１】
（実施例５のマルチパック用包装箱）
上記実施例２のマルチパック用包装箱において、中部開口穴２２を設けなかった。それ以外の仕様は上記実施例２のマルチパック用包装箱と同様にして、実施例５のマルチパック用包装箱を作製した。用いた缶容器は、上記と同様の３５０ｍｌの缶ビール容器とした。
【００６２】
図１に示される展開図において、縦辺１ａ方向（幅方向）の最大長さは、上記比較例１の現行マルチパック用包装箱のそれと比較して９２．５％の長さであり、横辺１ｂ方向の最大長さは、上記比較例１の現行マルチパック用包装箱のそれと比較して９６．７％の長さであった。
【００６３】
（実施例６のマルチパック用包装箱）
上記実施例３のマルチパック用包装箱において、中部開口穴２２を設けなかった。それ以外の仕様は上記実施例３のマルチパック用包装箱と同様にして、実施例６のマルチパック用包装箱を作製した。用いた缶容器は、上記と同様の３５０ｍｌの缶ビール容器とした。
【００６４】
図１に示される展開図において、縦辺１ａ方向（幅方向）の最大長さは、上記比較例１の現行マルチパック用包装箱のそれと比較して９２．５％の長さであり、横辺１ｂ方向の最大長さは、上記比較例１の現行マルチパック用包装箱のそれと比較して９６．７％の長さであった。
【００６５】
上記の各仕様のマルチパック用包装箱サンプルについて、容器保持力のテストを下記の要領で行なった。
【００６６】
＜容器保持力のテスト＞
図９に示されるように、直列した３缶を２列に並列させて収納した各マルチパック用包装箱サンプルについて、２列の左右から入れ違いの状態で互いに押圧センサーＰ付きの押し込み装置で直列した３缶の高さ中央を押圧し、直列した３缶の群が互いに包装箱の開口部Ｐから抜け出すまでの最大押圧量を左右それぞれの押圧センサーＰで測定した。左右の値の平均値を求め、容器保持力として評価した。サンプル数ｎ＝５とした。
【００６７】
結果を下記表１に示した。
【００６８】
【表１】
0005315530.tif 000002
【００６９】
なお、測定データである「容器保持力」は、比較例１を１．００として、この値との関係で、相対評価値として表した。「缶保持力」の値が大きいほど、容器がしっかりと保持されており、容器保持力が高いことを意味する。なお、「容器保持力」測定に際して容器の破損は生じておらず、破損強度にも優れていることが確認されている。
【００７０】
また、上記の効果に加えて、本発明のマルチパック用包装箱は、マルチパック包装箱の幅方向および長さ方向の長さを短縮させることができ、原紙使用効率を向上させることが可能となる。
【産業上の利用可能性】
【００７１】
本発明のマルチパック用包装箱は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を包装するための包装箱であり、包装産業一般に利用することができる。
【符号の説明】
【００７２】
１…マルチパック用包装箱
２…上面板
３、４…側面板
５、６…底面板
２１…上部開口穴（端部開口穴）
２２…上部開口穴（中部開口穴）
３０…容器底固定片
９０…保持フラップ機構部
９１…押込フラップ片
９２…抜き止め帯片
【図１】
0005315530.tif 000003
【図２】
0005315530.tif 000004
【図３】
0005315530.tif 000005
【図４】
0005315530.tif 000006
【図５】
0005315530.tif 000007
【図６】
0005315530.tif 000008
【図７】
0005315530.tif 000009
【図８】
0005315530.tif 000010
【図９】
0005315530.tif 000011